(57)【要約】【課題】  メッキの有無を問わず、又、装身品の構成部材のデザインや材質を問わずに、装身品からマイナスイオンを発生させることができる。そのマイナスイオンの作用によって、体のバランスがとれ、新陳代謝が活発になり、体が老化しにくく健康になる装身品の提供。【解決手段】  構成部材１０に、多元素鉱物を粉砕して形成した多元素鉱物粉状体を含むマイナスイオン発生部１２が設けられている。【選択図】  図１
0003104618.tif 000002
【実用新案登録請求の範囲】
【請求項１】
装身品の構成部材に、多元素鉱物を粉砕して形成した多元素鉱物粉状体を含むマイナスイオン発生部が設けられていることを特徴とした装身品。
【請求項２】
請求項１記載の装身品において、マイナスイオン発生部が、素地にレジン等の主材を付着させて乾燥硬化させた擬似七宝焼部であり、主材に多元素鉱物粉状体が混合されている装身品。
【請求項３】
請求項１記載の装身品において、マイナスイオン発生部が、素地に釉薬を焼き付けた七宝焼部又は陶磁器部又は琺瑯部であり、素地及び／又は釉薬に多元素鉱物粉状体が混合されている装身品。
【請求項４】
請求項１記載の装身品において、マイナスイオン発生部が、ガラス部又はセラミック部であり、このガラス部の材料自身又はセラミック部の材料自身に多元素鉱物粉状体が混合されている装身品。
【請求項５】
請求項１〜４のいずれかに記載の装身品において、多元素鉱物粉状体に、遠赤外線放射材料粉状体が混合されている装身品。
【考案の詳細な説明】
【技術分野】
【０００１】
本考案は、ブローチ、ネックレス、ブレスレット、アンクレット、イヤリング、指輪、髪飾り、腕時計バンド、サングラスフレーム、メガネフレーム等の装身品の改良技術に関する。
【背景技術】
【０００２】
従来、マイナスイオンを発生させるようにした装身品が知られている（特許文献１参照）。
この装身品は、表面にメッキ層を形成した装身品であって、メッキ層に多元素鉱物を粉砕して形成した多元素鉱物粉状体を混合した構成となっていた。
即ち、従来の装身品は、表面を美しくしたり、さび止めのために施したメッキの表面からマイナスイオンを発生させ、それにより装着者の免疫力向上、精神安定、体の機能向上、老廃物の排出、疲労感の軽減、呼吸器の機能向上等を得るようにしたものであった。
【０００３】
しかしながら、表面のメッキ層に多元素鉱物粉状体を混合させて、このメッキの表面からマイナスイオンを発生させる構成では、メッキを有する装身品にしか適用できず、その適用範囲が制限されるという問題があった。
【特許文献１】実用新案登録第３０４５０６０号公報
【考案の開示】
【考案が解決しようとする課題】
【０００４】
本考案は、上記のような問題を解決するためになされたもので、メッキの有無を問わず、又、装身品の構成部材の材質を問わずに、マイナスイオンを発生させることができるようにした装身品を提供することを課題としている。
【課題を解決するための手段】
【０００５】
上記の課題を解決するための手段として、本考案の装身品（請求項１）は、
装身品の構成部材に、多元素鉱物を粉砕して形成した多元素鉱物粉状体を含むマイナスイオン発生部が設けられている構成を採用した。
【０００６】
この場合、前記マイナスイオン発生部が、素地にレジン等の主材を付着させて乾燥硬化させた擬似七宝焼部であり、主材に多元素鉱物粉状体が混合されている態様（請求項２）がある。
【０００７】
また、前記マイナスイオン発生部が、素地に釉薬を焼き付けた七宝焼部又は陶磁器部又は琺瑯部であり、素地及び／又は釉薬に多元素鉱物粉状体が混合されている態様（請求項３）がある。
【０００８】
また、前記マイナスイオン発生部が、ガラス部又はセラミック部であり、このガラス部の材料自身又はセラミック部の材料自身に多元素鉱物粉状体が混合されている態様（請求項４）がある。
【０００９】
又、前記装身品において、多元素鉱物粉状体に、遠赤外線放射材料粉状体が混合されている態様（請求項５）がある。
【考案の効果】
【００１０】
本考案の装身品（請求項１〜４）では、構成部材にマイナスイオン発生部が設けられているため、このマイナスイオン発生部から常時マイナスイオンを発生させることができる。このマイナスイオンの作用で血液の循環が良くなり、免疫力向上、精神安定、体の機能向上、老廃物の排出、呼吸器の機能向上、疲労感の軽減等に役立つ。
【００１１】
このように、本考案では、多元素鉱物を粉砕して形成した多元素鉱物粉状体を含むマイナスイオン発生部を装身品の構成部材に設ける構成であるため、メッキの有無を問わず、又、装身品の構成部材のデザインや材質を問わずに、装身品からマイナスイオンを発生させることができる。
【００１２】
また、多元素鉱物粉状体に加えて遠赤外線放射材料粉状体を混合させると（請求項５）、この遠赤外線放射粉状体から放射される遠赤外線の作用を肌に与えることができる。
【考案を実施するための最良の形態】
【００１３】
以下、本考案の実施例を図面に基づいて詳細に説明する。
図１は本考案の装身品の第１実施例にかかるブレスレットを示す斜視図、図２はこのブレスレットの要部を示すもので、図１のＡ−Ａ断面図である。
【００１４】
本実施例のブレスレット（装身品）１は、チタン合金による細幅の板状体１０を構成部材とし、この板状体１０を略Ｕ字状に屈曲させて形成させたもので、その両端部内面に露出するように永久磁石１１，１１及びマイナスイオン発生部１２，１２が設けられている。
【００１５】
前記永久磁石１１は、４００ガウスから１２００ガウス（好ましくは８００ガウス）の永久磁石が用いられている。
この場合、例えば、磁性材料としてのフェライト磁石や希土類磁石等をそのまま用いることができるし、又、ゴム磁石やプラスチック磁石を用いることができる。尚、ゴム磁石は、磁性材料としてのフェライト磁石や希土類磁石等の粉末をゴム状結合材と混練して成型したものであり、また、プラスチック磁石は、磁性材料としてのフェライト磁石や希土類磁石等をプラスチック材料に混練して成型したものである。
このように、永久磁石１１を組み付けることによって、この永久磁石１１から発生する磁力が装着者の装着部位に作用し、血行を促進させて健康増進を図ることができる。
【００１６】
前記マイナスイオン発生部１２は、多元素鉱物粉状体が混合された擬似七宝焼部であり、この擬似七宝焼部が使用者の肌に触れるように、板状体１０の内面から突出するように設けられている。
【００１７】
前記擬似七宝焼部の成形手順を説明すると、ブレスレットの構成部材であるチタン合金による板状体１０自体を素地とし、この板状体１０の両端部内面に窪み部１３を形成し、この窪み部１３の内面をシンナー等で脱脂し、乾燥させる。
なお、擬似七宝焼部の素地としては、チタン合金等の金属に限らず、プラスチック等を用いることができるもので、従って、ブレスレットの構成部材としてプラスチックによる板状体等を用いることができる。
【００１８】
次に、擬似七宝焼部の主材となるレジン（エポキシ）系塗料と硬化剤を定量で混合攪拌させるもので、この時点で多元素鉱物粉状体を混合させる。
そして、この混合物の気泡がなくなってから、注射器等の注入器によって混合物を窪み部１３に注入する。
この際、出来上がりの表面が、板状体１０の内面から突出するように、混合物を盛り上げるように注入し、その状態を維持するように数分間（０〜１０分程度）のセッティング時間を置く。
【００１９】
その後、約６０℃に設定した乾燥機に入れ、２時間ほど時間をかけて乾燥させ、乾燥後は、乾燥機から取り出して室温で２０〜３０分程度かけて硬化させれば、素地にレジン等の主材を付着させて乾燥硬化させた擬似七宝焼部の成形が完了する。
【００２０】
多元素鉱物とは、例えば真珠岩、松脂岩のように珪素を主成分とし、多数の元素がバランスよく含まれている鉱物をいい、この鉱物は電磁波（微弱エネルギー）を出し、これを身体に当てると、身体中の水分がミネラル化して蛋白質を活性化させる。
この多元素鉱物は、例えば、真珠岩をボールミル等で約１〜３ミクロンに粉砕して多元素鉱物粉状体に形成する。多元素鉱物粉状体は２種類以上を適宜配合して使用することが好ましい。なお、多元素鉱物の例である真珠岩の成分を表１に示す。
【００２１】
【表１】
0003104618.tif 000003
【００２２】
遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等をパウダーにしたものを使用する。これら粉状体は装着部位に適した波長の遠赤外線を放射するようにブレンドして使用する。
【００２３】
本実施例のブレスレット１を使用するときは、従来と同様に手首に装着させて使用する。
本実施例のブレスレットで１は、構成部材としての板状体１０にマイナスイオン発生部１２が設けられ、このマイナスイオン発生部１２から常時マイナスイオンを発生させることができる。
そして、このマイナスイオンが血液に作用し、人間の体を少しマイナスイオンに傾いた状態にし、これで体のバランスがとれ、新陳代謝が活発になり、体は老化しにくく健康になる。
特に、この実施例のように、マイナスイオン発生部１２となる擬似七宝焼部が板状体１０の内面から突出して、使用者の肌に触れているため、より一層のマイナスイオン効果を得ることができる。
又、マイナスイオンによって、水分にクラスター現象（水の分子集団を小さくする力）が生じて、装着部位の血液の循環が良くなり、免疫力向上、精神安定、体の機能向上、老廃物の排出、呼吸器の機能向上、疲労感の軽減等に役立つ。
【００２４】
また、多元素鉱物からは、その周囲５〜１０ｍｍの範囲で電磁波（微弱エネルギー）放射される。
この電磁波は、波長４〜１４μｍで、原子の核の周囲を電気的に変化させて原子、さらにその物質を励起状態（振動）にし、その結果、水のクラスタ（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
【００２５】
また、遠赤外線放射材料から遠赤外線が放射され、装着部位を内部から温めることができ、これにより、血行を促進させることができる。
【００２６】
次に、図３は本考案の装身品の第２実施例にかかるサングラスフレームを示す斜視図、図４はこのサングラスフレームの要部を示すもので、図３のＢ−Ｂ断面図である。
【００２７】
本実施例のサングラスフレーム２は、プラスチックにより形成され、構成部材としての耳掛けフレーム２０，２０にマイナスイオン発生部２１，２１が設けられている。
この場合、耳掛けフレーム２０に貫通穴２２を形成し、この貫通穴２２を塞ぐようにマイナスイオン発生片２１が一体に組み付けられて、このマイナスイオン発生部２１が耳掛けフレーム２０の内面及び外面の両面に露出するようになっている。
【００２８】
前記マイナスイオン発生部２１は、セラミック部であり、このセラミック部の材料自身に多元素鉱物粉状体が練り込みによって混合されている。この場合もマイナスイオン発生部２１となるセラミック部が使用者の肌に触れるように、耳掛けフレーム２０の表面から突出させるようにするのが好ましい。
【００２９】
なお、本考案において、マイナスイオン発生部を擬似七宝焼部とした例（第１実施例）と、セラミック部とした例（第２実施例）を示したが、これに限らず、多元素鉱物粉状体を釉薬に混合させて焼成した七宝焼部や陶磁器部や琺瑯部でもよいし、材料自身に多元素鉱物粉状体を混合させて成形したガラス部等をマイナスイオン発生部として形成することができる。
【００３０】
前記七宝焼部は、素地（例えば、金属の胎：主に銅板）にガラス質の釉薬を焼き付けたものであり、この釉薬に多元素鉱物粉状体（遠赤外線放射材料粉状体を混合してもよい）を混合させることで、マイナスイオン発生部を形成することができる。
この場合、多元素鉱物粉状体又は遠赤外線放射材料粉状体の混合粉状体を粉状体のまま釉薬に混合してもよいし、これを水と混合し加熱又は加圧した後、上澄み液をそのまま又は真空凍結乾燥や噴霧乾燥により粉末にしたものを釉薬に混合してもよい。
【００３１】
又、本考案は、実施例で示したブレスレット、サングラスフレームに限らず、ブローチ、ネックレス、アンクレット、イヤリング、指輪、髪飾り、腕時計バンド、メガネフレーム等の装身品全般に適用できる。
また、そのデザインや材質に限定はないし、マイナスイオン発生部の部位にも制限はないし、又、構成部材の内外両面、内面又は外面のいずれか片面に設けてもよく、この場合、マイナスイオン発生部を外面に露出させるように設けると、このマイナスイオン発生部を装飾部材として使用できる。
【図面の簡単な説明】
【００３２】
【図１】本考案の装身品の第１実施例にかかるブレスレットを示す斜視図である。
【図２】このブレスレットの要部を示すもので、図１のＡ−Ａ断面図である。
【図３】本考案の装身品の第２実施例にかかるサングラスフレームを示す斜視図である。
【図４】このサングラスフレームの要部を示すもので、図３のＢ−Ｂ断面図である。
【符号の説明】
【００３３】
１  ブレスレット（装身品）
１０  板状体（構成部材）
１１  永久磁石
１２  マイナスイオン発生部
１３  窪み部
２  サングラスフレーム（装身品）
２０  耳掛けフレーム（構成部材）
２１  マイナスイオン発生部
２２  貫通穴
【図１】
0003104618.tif 000004
【図２】
0003104618.tif 000005
【図３】
0003104618.tif 000006
【図４】
0003104618.tif 000007
【手続補正書】
【提出日】平成16年6月14日(2004.6.14)
【手続補正１】
【補正対象書類名】実用新案登録請求の範囲
【補正対象項目名】全文
【補正方法】変更
【補正の内容】
【実用新案登録請求の範囲】
【請求項１】
装身品の構成部材に、多元素鉱物を粉砕して形成した多元素鉱物粉状体を含むマイナスイオン発生部材が設けられていることを特徴とした装身品。
【請求項２】
請求項１記載の装身品において、マイナスイオン発生部材が、素地にレジン等の主材を付着させて乾燥硬化させた擬似七宝焼部材であり、主材に多元素鉱物粉状体が混合されている装身品。
【請求項３】
請求項１記載の装身品において、マイナスイオン発生部材が、素地に釉薬を焼き付けた七宝焼部材又は陶磁器部材又は琺瑯部材であり、素地及び／又は釉薬に多元素鉱物粉状体が混合されている装身品。
【請求項４】
請求項１記載の装身品において、マイナスイオン発生部材が、ガラス部材又はセラミック部材であり、このガラス部材の材料自身又はセラミック部材の材料自身に多元素鉱物粉状体が混合されている装身品。
【請求項５】
請求項１〜４のいずれかに記載の装身品において、多元素鉱物粉状体に、遠赤外線放射材料粉状体が混合されている装身品。
【手続補正２】
【補正対象書類名】明細書
【補正対象項目名】全文
【補正方法】変更
【補正の内容】
【考案の詳細な説明】
【技術分野】
【０００１】
本考案は、ブローチ、ネックレス、ブレスレット、アンクレット、イヤリング、指輪、髪飾り、腕時計バンド、サングラスフレーム、メガネフレーム等の装身品の改良技術に関する。
【背景技術】
【０００２】
従来、マイナスイオンを発生させるようにした装身品が知られている（特許文献１参照）。
この装身品は、表面にメッキ層を形成した装身品であって、メッキ層に多元素鉱物を粉砕して形成した多元素鉱物粉状体を混合した構成となっていた。
即ち、従来の装身品は、表面を美しくしたり、さび止めのために施したメッキの表面からマイナスイオンを発生させ、それにより装着者の免疫力向上、精神安定、体の機能向上、老廃物の排出、疲労感の軽減、呼吸器の機能向上等を得るようにしたものであった。
【０００３】
しかしながら、表面のメッキ層に多元素鉱物粉状体を混合させて、このメッキの表面からマイナスイオンを発生させる構成では、メッキを有する装身品にしか適用できず、その適用範囲が制限されるという問題があった。
【特許文献１】実用新案登録第３０４５０６０号公報
【考案の開示】
【考案が解決しようとする課題】
【０００４】
本考案は、上記のような問題を解決するためになされたもので、メッキの有無を問わず、又、装身品の構成部材の材質を問わずに、マイナスイオンを発生させることができるようにした装身品を提供することを課題としている。
【課題を解決するための手段】
【０００５】
上記の課題を解決するための手段として、本考案の装身品（請求項１）は、
装身品の構成部材に、多元素鉱物を粉砕して形成した多元素鉱物粉状体を含むマイナスイオン発生部材が設けられている構成を採用した。
【０００６】
この場合、前記マイナスイオン発生部材が、素地にレジン等の主材を付着させて乾燥硬化させた擬似七宝焼部材であり、主材に多元素鉱物粉状体が混合されている態様（請求項２）がある。
【０００７】
また、前記マイナスイオン発生部材が、素地に釉薬を焼き付けた七宝焼部材又は陶磁器部材又は琺瑯部材であり、素地及び／又は釉薬に多元素鉱物粉状体が混合されている態様（請求項３）がある。
【０００８】
また、前記マイナスイオン発生部材が、ガラス部材又はセラミック部材であり、このガラス部材の材料自身又はセラミック部材の材料自身に多元素鉱物粉状体が混合されている態様（請求項４）がある。
【０００９】
又、前記装身品において、多元素鉱物粉状体に、遠赤外線放射材料粉状体が混合されている態様（請求項５）がある。
【考案の効果】
【００１０】
本考案の装身品（請求項１〜４）では、構成部材にマイナスイオン発生部材が設けられているため、このマイナスイオン発生部材から常時マイナスイオンを発生させることができる。このマイナスイオンの作用で血液の循環が良くなり、免疫力向上、精神安定、体の機能向上、老廃物の排出、呼吸器の機能向上、疲労感の軽減等に役立つ。
【００１１】
このように、本考案では、多元素鉱物を粉砕して形成した多元素鉱物粉状体を含むマイナスイオン発生部材を装身品の構成部材に設ける構成であるため、メッキの有無を問わず、又、装身品の構成部材のデザインや材質を問わずに、装身品からマイナスイオンを発生させることができる。
【００１２】
また、多元素鉱物粉状体に加えて遠赤外線放射材料粉状体を混合させると（請求項５）、この遠赤外線放射粉状体から放射される遠赤外線の作用を肌に与えることができる。
【考案を実施するための最良の形態】
【００１３】
以下、本考案の実施例を図面に基づいて詳細に説明する。
図１は本考案の装身品の第１実施例にかかるブレスレットを示す斜視図、図２はこのブレスレットの要部を示すもので、図１のＡ−Ａ断面図である。
【００１４】
本実施例のブレスレット（装身品）１は、チタン合金による細幅の板状体１０を構成部材とし、この板状体１０を略Ｕ字状に屈曲させて形成させたもので、その両端部内面に露出するように永久磁石１１，１１及びマイナスイオン発生部材１２，１２が設けられている。
【００１５】
前記永久磁石１１は、４００ガウスから１２００ガウス（好ましくは８００ガウス）の永久磁石が用いられている。
この場合、例えば、磁性材料としてのフェライト磁石や希土類磁石等をそのまま用いることができるし、又、ゴム磁石やプラスチック磁石を用いることができる。尚、ゴム磁石は、磁性材料としてのフェライト磁石や希土類磁石等の粉末をゴム状結合材と混練して成型したものであり、また、プラスチック磁石は、磁性材料としてのフェライト磁石や希土類磁石等をプラスチック材料に混練して成型したものである。
このように、永久磁石１１を組み付けることによって、この永久磁石１１から発生する磁力が装着者の装着部位に作用し、血行を促進させて健康増進を図ることができる。
【００１６】
前記マイナスイオン発生部材１２は、多元素鉱物粉状体が混合された擬似七宝焼部材であり、この擬似七宝焼部材が使用者の肌に触れるように、板状体１０の内面から突出するように設けられている。
【００１７】
前記擬似七宝焼部材の成形手順を説明すると、ブレスレットの構成部材であるチタン合金による板状体１０自体を素地とし、この板状体１０の両端部内面に窪み部１３を形成し、この窪み部１３の内面をシンナー等で脱脂し、乾燥させる。
なお、擬似七宝焼部材の素地としては、チタン合金等の金属に限らず、プラスチック等を用いることができるもので、従って、ブレスレットの構成部材としてプラスチックによる板状体等を用いることができる。
【００１８】
次に、擬似七宝焼部材の主材となるレジン（エポキシ）系塗料と硬化剤を定量で混合攪拌させるもので、この時点で多元素鉱物粉状体を混合させる。
そして、この混合物の気泡がなくなってから、注射器等の注入器によって混合物を窪み部１３に注入する。
この際、出来上がりの表面が、板状体１０の内面から突出するように、混合物を盛り上げるように注入し、その状態を維持するように数分間（０〜１０分程度）のセッティング時間を置く。
【００１９】
その後、約６０℃に設定した乾燥機に入れ、２時間ほど時間をかけて乾燥させ、乾燥後は、乾燥機から取り出して室温で２０〜３０分程度かけて硬化させれば、素地にレジン等の主材を付着させて乾燥硬化させた擬似七宝焼部材の成形が完了する。
【００２０】
多元素鉱物とは、例えば真珠岩、松脂岩のように珪素を主成分とし、多数の元素がバランスよく含まれている鉱物をいい、この鉱物は電磁波（微弱エネルギー）を出し、これを身体に当てると、身体中の水分がミネラル化して蛋白質を活性化させる。
この多元素鉱物は、例えば、真珠岩をボールミル等で約１〜３ミクロンに粉砕して多元素鉱物粉状体に形成する。多元素鉱物粉状体は２種類以上を適宜配合して使用することが好ましい。なお、多元素鉱物の例である真珠岩の成分を表１に示す。
【００２１】
【表１】
0003104618.tif 000008
【００２２】
遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等をパウダーにしたものを使用する。これら粉状体は装着部位に適した波長の遠赤外線を放射するようにブレンドして使用する。
【００２３】
本実施例のブレスレット１を使用するときは、従来と同様に手首に装着させて使用する。
本実施例のブレスレットで１は、構成部材としての板状体１０にマイナスイオン発生部材１２が設けられ、このマイナスイオン発生部材１２から常時マイナスイオンを発生させることができる。
そして、このマイナスイオンが血液に作用し、人間の体を少しマイナスイオンに傾いた状態にし、これで体のバランスがとれ、新陳代謝が活発になり、体は老化しにくく健康になる。
特に、この実施例のように、マイナスイオン発生部材１２となる擬似七宝焼部材が板状体１０の内面から突出して、使用者の肌に触れているため、より一層のマイナスイオン効果を得ることができる。
又、マイナスイオンによって、水分にクラスター現象（水の分子集団を小さくする力）が生じて、装着部位の血液の循環が良くなり、免疫力向上、精神安定、体の機能向上、老廃物の排出、呼吸器の機能向上、疲労感の軽減等に役立つ。
【００２４】
また、多元素鉱物からは、その周囲５〜１０ｍｍの範囲で電磁波（微弱エネルギー）放射される。
この電磁波は、波長４〜１４μｍで、原子の核の周囲を電気的に変化させて原子、さらにその物質を励起状態（振動）にし、その結果、水のクラスタ（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
【００２５】
また、遠赤外線放射材料から遠赤外線が放射され、装着部位を内部から温めることができ、これにより、血行を促進させることができる。
【００２６】
次に、図３は本考案の装身品の第２実施例にかかるサングラスフレームを示す斜視図、図４はこのサングラスフレームの要部を示すもので、図３のＢ−Ｂ断面図である。
【００２７】
本実施例のサングラスフレーム２は、プラスチックにより形成され、構成部材としての耳掛けフレーム２０，２０にマイナスイオン発生部材２１，２１が設けられている。
この場合、耳掛けフレーム２０に貫通穴２２を形成し、この貫通穴２２を塞ぐようにマイナスイオン発生部材２１が一体に組み付けられて、このマイナスイオン発生部材２１が耳掛けフレーム２０の内面及び外面の両面に露出するようになっている。
【００２８】
前記マイナスイオン発生部材２１は、セラミック部材であり、このセラミック部材の材料自身に多元素鉱物粉状体が練り込みによって混合されている。この場合もマイナスイオン発生部材２１となるセラミック部材が使用者の肌に触れるように、耳掛けフレーム２０の表面から突出させるようにするのが好ましい。
【００２９】
なお、本考案において、マイナスイオン発生部材を擬似七宝焼部材とした例（第１実施例）と、セラミック部材とした例（第２実施例）を示したが、これに限らず、多元素鉱物粉状体を釉薬に混合させて焼成した七宝焼部材や陶磁器部材や琺瑯部材でもよいし、材料自身に多元素鉱物粉状体を混合させて成形したガラス部材等をマイナスイオン発生部材として形成することができる。
【００３０】
前記七宝焼部材は、素地（例えば、金属の胎：主に銅板）にガラス質の釉薬を焼き付けたものであり、この釉薬に多元素鉱物粉状体（遠赤外線放射材料粉状体を混合してもよい）を混合させることで、マイナスイオン発生部材を形成することができる。
この場合、多元素鉱物粉状体又は遠赤外線放射材料粉状体の混合粉状体を粉状体のまま釉薬に混合してもよいし、これを水と混合し加熱又は加圧した後、上澄み液をそのまま又は真空凍結乾燥や噴霧乾燥により粉末にしたものを釉薬に混合してもよい。
【００３１】
又、本考案は、実施例で示したブレスレット、サングラスフレームに限らず、ブローチ、ネックレス、アンクレット、イヤリング、指輪、髪飾り、腕時計バンド、メガネフレーム等の装身品全般に適用できる。
また、そのデザインや材質に限定はないし、マイナスイオン発生部材の部位にも制限はないし、又、構成部材の内外両面、内面又は外面のいずれか片面に設けてもよく、この場合、マイナスイオン発生部材を外面に露出させるように設けると、このマイナスイオン発生部材を装飾部材として使用できる。
【図面の簡単な説明】
【００３２】
【図１】本考案の装身品の第１実施例にかかるブレスレットを示す斜視図である。
【図２】このブレスレットの要部を示すもので、図１のＡ−Ａ断面図である。
【図３】本考案の装身品の第２実施例にかかるサングラスフレームを示す斜視図である。
【図４】このサングラスフレームの要部を示すもので、図３のＢ−Ｂ断面図である。
【符号の説明】
【００３３】
１  ブレスレット（装身品）
１０  板状体（構成部材）
１１  永久磁石
１２  マイナスイオン発生部材
１３  窪み部
２  サングラスフレーム（装身品）
２０  耳掛けフレーム（構成部材）
２１  マイナスイオン発生部材
２２  貫通穴